(57)【要約】【課題】  手の届きにくい背部位の患部に人手を借りずに湿布等を所望な位置に平坦に貼付する事ができる。加えて、貼付具の構造がシンプルで、その取り扱いも極めて容易な小型・軽量にして携帯用に利用できる湿布類の貼付具を提供する。【解決手段】  本体１の一方先端部に剥離へら２を備えた押圧部３と内方に開口部４があり、開口部４の把手部５側の先端部に下方に湾曲した滑り面状６に形成し、開口部４後方の本体１に穿孔部７を設け、固定具の固定鋲８を穿孔部７に緊合固定する構造とし、穿孔部７後方で底面側に曲げ１２を形成した構成からなることを特徴とする貼付具。【選択図】  図５
2004337580.tif 000002
【特許請求の範囲】
【請求項１】
本体の一方先端部に剥離へらを備えた押圧部と内方に開口部があり、開口部の把手部側の先端部に下方に湾曲した滑り面状に形成し、開口部後方の本体に穿孔部を設け、固定具の固定鋲を穿孔部に緊合固定する構成からなることを特徴とする貼付具。
【請求項２】
本体の一方先端部に剥離へらを備えた押圧部と内方に開口部があり、開口部後方の本体に穿孔部を設け、固定具の固定鋲を穿孔部に緊合固定する構成からなることを特徴とする請求項１記載の貼付具。
【請求項３】
請求項１または、請求項２において本体の穿孔部後方で底面側に曲げを形成することを特徴とする貼付具。
【発明の詳細な説明】
【発明の詳細な説明】
【技術分野】
【０００１】  本発明は、経皮吸収型鎮痛消炎剤（以下湿布と呼ぶ）等の貼付時に使用する補助具で、用済後の湿布等を患部より剥離する機能を具設した構成からなる貼付具の提供に関する。
【背景技術】
【０００２】  人体の運動器の病気が原因で各部位に痛みを発症した場合は、患部に鎮痛消炎薬液を塗付するか、あるいは湿布を貼付して症状を軽減治癒する処置をしている。特に、湿布を使用して背部位（肩、背中、腰等）等の手の届きにくい患部に、的確にして平坦に貼付するのは困難である。しかも、貼付時は予め保護シ−トを剥離して取り扱うので、薬剤層どうしが粘着し途中で着脱を繰返すこともしばしば起こる。従って、一般的には人手を借りて貼付しているのが現状である。【０００３】  最近では、背部位の患部に自力で湿布を貼付することを意図した貼付材等、が開示されている。（特許文献１および２）即ち、特許文献１記載の貼付材は、孔を有する板の上面に剥離した保護シ−トを板との間に挟み込み、固定する着脱自在の断面コ字状の固定部の構成からなる。貼付剤シ−トの取り付けは、保護シ−トを上向きで貼付材の上面に置き、保護シ−トの一部を剥離してその端面を貼付材の端部に設けた断面コ字状の固定部で固定する。一方の剥離された貼付剤塗付シ−トは孔を通して下面に引き出して貼付材に取り付けは終了する。つぎに、患部に貼付の場合は、両手で貼付材の両サイドを持ち貼付材を患部に圧しつけながら押して貼付する。【０００４】  あるいは、特許文献２記載の貼付用具は、３ヶ所のスリット孔と固定装置を有し、四角形の彎曲板部とその縁辺中央部に把持棒部を結合した構成からなる。貼薬の取り付けは、貼薬の一方の一縁辺より剥離紙の一部を剥離し、露出した薬剤層の端部を前部スリット孔に挿入して仮固定する。片方の非剥離側貼薬の端部は中央部スリット孔を通して上面に引き出す。また、貼薬の一縁辺より剥離した剥離紙端部を後部スリット孔を通して上面に引き出し、その端部を鈎針あるいはクリップ等の固定装置で固定して貼付用具に取り付けは終了する。つぎに、患部に貼付時は、前部スリット孔に仮固定した貼薬の粘着面が前記彎曲板部の突起部分に突出した部分を押し当て患部に接着後、把持棒部とは逆方向に押し当て摺動し貼薬を患部に貼着後、押しつけながら改めて把持棒部の方向に押し当て引き戻し貼薬の貼付は終わる。【０００５】  または、本出願人が先に出願した特許文献３記載の貼付具は、貼付具の一方先端部に剥離へらを備えた押圧部と内方に開口部があり、開口部の把手部側の先端部に下方に湾曲した滑り面状に形成する構成、あるいは貼付具の一方先端部に剥離へらを備えた押圧部と内方に開口部があり、両者それぞれについて開口部後方の本体に穿孔部を設け、固定具の固定鋲を穿孔部に緊合固定する構成からなる。
湿布の取り付けは、前者の場合は、開口部の滑り面状を下向きとした貼付具の上面に、保護シ−トを下向きにして湿布を載置して前向きに摺動させて開口部の滑り面状より湿布の一部端面を垂下させる。つぎに、貼付具を裏返して湿布の藥剤層の端面より保護シ−トの一部を剥離して折り返し、穿孔部に緊合の固定鋲を取り外し、折り返した保護シ−トの端面を固定鋲と共に穿孔部に緊合固定して湿布の取り付けは終了する。また、後者貼付具の場合は、前者に準拠して行い湿布の保護シ−トを下向きにして貼付具の上面に載置し、湿布を前向きに摺動させて開口部より湿布の一部端面を垂下させる。以下、保護シ−トの剥離、ならびに固定鋲により緊合固定して湿布の取り付けは終了する。患部に貼付の場合は、貼付具を片手で持ち裏返して開口部より垂下した湿布の薬剤面を患部に押圧しながら引き当て摺動して貼付する等、の方法が提示されている。【０００６】
【特許文献１】  特開２００１−３０９９８５号公報（請求項５〜７）
【特許文献２】  特開２００３−６２０００号公報
【特許文献３】  特願２００３−１５３５２３号
【発明が解決しようとする課題】
【０００７】  前記、特許文献１記載の貼付材を用いて貼付剤シ−トを取り付ける場合の難点は、取り付け時には事前に貼付剤シ−トの端部から保護シ−トを剥離し、藥剤塗付面が露出状態で行われる。従って、藥剤塗付面の一部が貼付材の孔端面に粘着したり、あるいは藥剤塗付面どうしが粘着する等の問題が発生しやすく、その度に面倒な剥離動作が必要となる。また、患部に貼付する場合は、貼付材を両手で持ち患部に圧しながら押して貼付する。かかる背部位に貼付材を両手で持つ動作で貼付することは、無理な動作姿勢を要し大変な苦痛を伴うこともある。特に、高齢者や女性が使用の場合は、貼付を一時断念せざるを得ない事態の発生も考えられその使用感の悪さを感じる。
【０００８】  また、前記特許文献２記載の使用上の難点は、貼付用具に付設した３ヶ所のスリット孔は、貼薬の露出した薬剤層端部を挿通して仮固定したり、あるいは未剥離部貼薬を挿通、または剥離後の剥離紙を挿通し固定装置で固定する。等、それぞれの目的に使用されるが、そのスリット孔は貼薬が挿通できる実用的な幅として３〜４ｍｍの細幅孔としている。従って、貼薬の取り付け時に柔軟で折曲性ある素材を使用した貼薬を層別に剥離した一縁辺を細幅の各スリット孔に挿通することは容易でなく、特に極薄フイルム素材で折曲した剥離紙は容易に挿通できず不要な時間を要する。従って、複数以上のスリット孔の付設、あるいは貼薬の薬剤層面の露出端部を仮固定するスリット孔側面および周辺に、弱粘着性樹脂層の被覆等の付加は貼付用具を複雑な構造とし使用感の悪さを増加する。また、植設した固定装置の鈎針は尖端形状を有し剥離紙を引っ掛け固定するするので、固定時に誤って鈎針の尖端で指先をケガをする危険性がある。また、鈎針に代るクリップ使用の場合は、貼薬より剥離した剥離紙を常に引っ張り状態に保持するためにクリップに結合した収縮性材料の張力調整を事前に行う必要がある。等々、貼付用具の構造は複雑化し、その取り扱いも面倒となる。従って、特定多数の人が利用する貼付用具としては前者同様に問題は残る。さらに、貼付用具は比較的大型で貼薬と共に収納保管する事は難しい。また、前記の特許文献１および２は、用済後の貼付剤シ−トあるいは貼薬の端面を剥がす機能はなく患部より剥がす場合は、従来通りにその端面を指先を用いて剥がす面倒な動作が必要である等、その使用感の悪さを感じる。
【０００９】  つぎに、本出願人が先に出願した特許文献３記載の貼付具は、前記両者の難点を解消するものである。即ち、湿布等の取り付けは、当初より保護シ−トを付けた儘で行い取り付けが終り最後に保護シ−トを剥離してその端面を固定する。従って、取り付け時には貼付具の一部に粘着したり、藥剤面どうしが粘着することは全くなく湿布等の取り付けは容易である。加えて、剥離後の保護シ−トも簡単な固定具で確実に固定される。しかも、用済後の湿布等を患部より剥離する機能を具設し、湿布等の端面を容易に剥離することができる。また、その形状構造もシンプルで小型、軽量にして湿布と共に収納保管を可能とした取り扱い容易な貼付具を提示した。しかし、使用に当たっての唯一の難点は、貼付具が平坦な形状を有するため患部に湿布を貼付する際、背部位の位置によっては無理な動作姿勢で貼付する必要があった。
【課題を解決するための手段】
【００１０】  本発明は、本体の一方先端部に剥離へらを備えた押圧部と内方に開口部があり、開口部の把手部側の先端部に下方に湾曲した滑り面状に形成し、開口部後方の本体に穿孔部を設け、固定具の固定鋲を穿孔部に緊合固定する構成、あるいは、本体の一方先端部に剥離へらを備えた押圧部と内方に開口部があり、開口部後方の本体に穿孔部を設け、固定具としての固定鋲を穿孔部に緊合固定する構成、または、両者構成のそれぞれ本体の穿孔部後方で底面側に曲げを形成することを特徴とする貼付具を提供する。
【発明を実施するための最良の形態】
【００１１】  実施例にもとづき図面を参照して説明する。
実施例１は、図１および図３、図４に示すように、本体１（以下貼付具とよぶ）の一方先端部に剥離へら２を備えた押圧部３と内方に開口部４があり、開口部４の把手部５側の先端部に下方に湾曲した滑り面状６に形成し、開口部４後方の貼付具１に穿孔部７を設け、固定具の固定鋲８を穿孔部７に緊合固定する構成からなる貼付具である。湿布９の取り付けは、開口部４の滑り面状６を下向きにした貼付具１の上面に、保護シ−ト１０を下向きにして湿布９を載置する。湿布９を前向きに摺動させて開口部４の滑り面状６より湿布９を挿通しその一部端面を垂下させる。つぎに、貼付具１を裏返して開口部４より突出した湿布９の藥剤層１１の端面より保護シ−ト１０を剥離して折り返し、穿孔部７に緊合の固定鋲８を取り外し、折り返した保護シ−ト１０の端面を穿孔部７上に置き、固定鋲８を保護シ−ト１０と共に穿孔部７に緊合し固定する。これで貼付具１に湿布９は終了する。なお、保護シ−ト１０は湿布９を貼付具１の開口部に挿通後に剥離するので、取り付けの途中で貼付具１の一部あるいは、藥剤層１１どうしが粘着することは全くない。また、開口部４に滑り面状６の具設により開口部４に湿布９の挿通が容易となった。
本発明の意図する点は、本貼付具１は保護シ−ト１０と藥剤層１１（または粘着剤）の組み合わせによる被覆貼付剤、例えば、湿布を始め広告用フイルム等の貼付に広く使用可能である。また、被覆貼付剤の形状は特に限定しない。例えば、剥離した保護シ−ト１０が固定具の固定鋲８で緊合され固定が可能であれば四角形を始め、三角形、丸形、楕円形、その他形状に広く使用できる。【００１２】  実施例２は、図２および図３に示すように、貼付具１の一方先端部に剥離へら２を備えた押圧部３と内方に開口部４があり、開口部４後方の貼付具１に穿孔部７を設け、固定具としての固定鋲８を穿孔部７に緊合固定する構成からなる。湿布９の取り付けは、前記実施例１に準じて貼付具１に保護シ−ト１０を下向きにして湿布９を載置し、前向きに摺動させ開口部４より湿布９の一部端面を垂下させる。つぎに、貼付具１を裏返して開口部４より突出した湿布９の藥剤層１１の端面より保護シ−ト１０を剥離し折り返して、以下も同様にして行い固定鋲８で保護シ−ト１０を貼付具１に固定して湿布９の取り付けは終了する。なお、湿布９の取り付け時の貼付具１は表裏面のいずれを使用しても差支えない。【００１３】  実施例３は、図５に示すように前記図４（または図１、図２）における貼付具１の穿孔部７後方で設定した所定位置に底面側（滑り面状６が下方に突出面側）に曲げ１２を形成する構成からなる。曲げ１２の形成角度は特に問わないが、貼付時に如何なる患部位置にでも無理な動作姿勢をせずに容易に貼付が可能で、しかも患部に確実に貼着できる角度形成が望ましい。等を考慮して曲げ角度は、への字状の曲げ形成が好ましい。なお、曲げ加工については特に問わないが、例えば加熱による形成が容易であり好ましい。つぎに、湿布９の取り付けは、曲げ１２の凸面側を上面にし、湿布９の保護シ−ト１０を下向きにして載置する。以下は前記実施例１に準じて行い湿布９を貼付具１に取り付ける。【００１４】  また、前記図２における貼付具１の曲げ１２の形成については、貼付具１の表裏面のいずれか一方に実施例３に準じて曲げればよい。つぎに、湿布９の取り付けも前記図５に示すように、曲げ１２の凸面側を上面にし、湿布９の保護シ−ト１０を下向きにして載置する。以下は前記実施例１に準じて行い湿布９を貼付具１に取り付ける。【００１５】  貼付具１は、使用中に容易に曲折・破損しなければその素材は特に問わない。例えば、硬質工作紙または硬質プラスチック板等があるが、特に可撓性を有する硬質プラスチック板が好ましく、その肉厚は使用時に曲折による破損がなければ薄いほうが好ましい。なお、貼付具１の表面加工についても特に問わないが、例えば両面をエンボス加工を施せば把手部５を握った場合、滑り止めとなり使い易く好ましい。また、固定鋲８の素材についても特に問わないが、穿孔部７に容易に着脱できるものであればよい。例えば、金属、硬質プラスチック等があるが、可撓性の硬質プラスチックが使いやすく好ましい。なお、形状は穿孔部７の緊合時における固定鋲８の着脱が容易であればよい。例えば、鋲自体を長くして上部に突起を付ける方法、あるいは、鋲自体に舌片を付ける方法、等があるが、着脱が容易で使いやすい後者の舌付片の固定鋲８���以下舌片付固定鋲と呼ぶ）の使用が好ましい。また、貼付具１の開口部４後方で配設する穿孔部７は一ヶ所以上を配設し上限は特に問わないが、使用時の容易性を考慮して一ヶ所の配設が好ましい。なお、貼付具１の形状も特に問わない。使用時の容易性と外観上の出来上がり等を考慮して形状を決めればよい。例えば、貼付具１の一方先端部に具設した剥離へら２の端面形状は、用済後の湿布９端面の剥ぎ取りが容易で、外観も良好な円形あるいは波形状の形成が好ましい。また、貼付具１の他方把手部５は片手で握れる程度の幅寸法とすることが好ましい。【００１６】  実施例４は、図４および図５、図６に示すように、貼付具１に取り付けた湿布９を患部に貼付する場合は、湿布９を載置した貼付具１の把手部５を片手で持ち、開口部４より垂下した藥剤層１１の露出端面を患部に強く当て、押圧部３で強く引き当てながら摺動する。摺動と共に保護シ−ト１０は湿布９より剥離し、露出した藥剤層１１面は患部に貼着される。もし、部分的に貼着不良の場合は、再度貼付具１の押圧部３で湿布９の下方より強く引き当てながら摺動すると藥剤層１１は患部に確実に貼着する。【００１７】  実施例５は、図７に示すように用済後の湿布９の剥ぎ取りは、貼付具１先端の剥離へら２を湿布９の端面に当て、押しつけて前向きに摺動すると湿布９の端面の一部が患部より簡単に剥離するので後は手で剥がし取ればよい。
【発明の効果】
【００１８】  以上、本発明は従来のかかる難点を有利に解決するもので、以下に記載するような効果が発揮される。
即ち、手の届きにくい背部位の患部でも自力で湿布を所望な位置に平坦に貼付することが可能である。しかも、貼付具の先端部に剥離へらの具設により用済後湿布の剥ぎ取りが容易となった。また、貼付具に湿布を取り付け時、開口部に滑り面状の具設により湿布の挿通が容易となった。しかも、保護シ−トの剥離は湿布を貼付具に取り付けた最後に行うので、取り付け途中で貼付具の一部あるいは、藥剤面どうしが粘着することは全くない。また、剥離した保護シ−トの端面は貼付具に具設した穿孔部と舌片付固定鋲で緊合され確実に固定される。なお、保護シ−トの端面が固定鋲で固定が可能であれば湿布の形状は制限なく利用できる。また、貼付具に曲げの形成により貼付時に起こる無理な動作姿勢が解消され、その取扱いも容易となった。特に、高齢者、女性にとっても簡単に使用できるので貼付具としての利便性は高い。しかも、貼付具は小型．軽量で湿布と共に収納保管が可能であり、携帯用としても便利に利用できる。また、構造がシンプルなので、安価なコストで製造が可能である等、実用性のある極めて利便性の高い使用感良好な補助具としての湿布類の貼付具である。
【図面の簡単な説明】
【図１】実施例１の貼付具の平面図である。
【図２】実施例２の貼付具の平面図である。
【図３】舌片付固定鋲の斜視図である。
【図４】実施例１の貼付具に湿布取り付け態様の説明図である。
【図５】実施例３の貼付具に湿布取り付け態様の説明図である。
【図６】実施例４の貼付具を用いた引き当て使用態様の説明図である。
【図７】実施例５の用済後湿布の剥ぎ取り使用態様の説明図である。
【符号の説明】
１    本体
２    剥離へら
３    押圧部
４    開口部
５    把手部
６    滑り面状
７    穿孔部
８    舌片付固定鋲
９    湿布
１０  保護シ−ト
１１  薬剤層
１２  曲げ
【図１】
2004337580.tif 000003
【図２】
2004337580.tif 000004
【図３】
2004337580.tif 000005
【図４】
2004337580.tif 000006
【図５】
2004337580.tif 000007
【図６】
2004337580.tif 000008
【図７】
2004337580.tif 000009